(57)【要約】【課題】本発明の課題は、電源で動作する吸引装置を持たない簡便な吸引固定具の具体的構成を提案し、壁面に親綱及び安全帯を固定する固定具とその支援具を安価に製作できる提案を供することである。【解決手段】本発明では、真空吸着によるものでは、真空を引き起こす可動板またはダイアフラムを用い、磁気吸着によるものでは、磁石部を把持する磁石把持部の構造を工夫して、磁石部の可動又は、回転するようにし、又、複数個の一体集合、吸着を効果的にする吸着面、吸着を補助する吸着支援板の具体的手段を提案している。【選択図】図１
2008278909.tif 000002
【特許請求の範囲】
【請求項１】
可動棒の先端に接続した可動板と、前記可動板を気密性を持ってスライド可能に接する内側面と空気抜き穴と吸着時に被吸着物面に向き合って接触する吸着面とを有する吸引固定具筺体と、親綱又は安全帯を結びつけるための係止具とを有し、前記可動棒は、前記吸引固定具筺体の穴にはめ込まれた構成を有することを特徴とする真空吸着による親綱及び安全帯固定具。
【請求項２】
前記可動棒と前記可動板と前記吸引固定具筺体を複数組集積したことを特徴とする請求項１記載の真空吸着による親綱及び安全帯固定具。
【請求項３】
可動棒の先端に接続した弾性体のダイアフラムと、前記ダイアフラムの周辺部を保持し空気抜き穴と吸着時に被吸着物面に向き合って接触する吸着面とを有する吸引固定具筺体と、親綱又は安全帯を結びつけるための係止具とを有し、前記可動棒は、前記吸引固定具筺体の穴にはめ込まれた構成を有することを特徴とする真空吸着による親綱及び安全帯固定具。
【請求項４】
前記可動棒と前記ダイアフラムと前記吸引固定具筺体を複数組集積したことを特徴とする請求項３記載の真空吸着による親綱及び安全帯固定具。
【請求項５】
吸着時に被吸着物面に向き合って接触する吸着面と前記吸着面の内側にある凹部と前記凹部から外部に繋がる空気抜き穴と前記空気抜き穴を開閉状態にする栓を有する弾性体の吸引固定具と、親綱又は安全帯を結びつけるための係止具とを有することを特徴とする真空吸着による親綱及び安全帯固定具。
【請求項６】
前記吸引固定具を複数個集積したことを特徴とする請求項５記載の真空吸着による親綱及び安全帯固定具。
【請求項７】
複数組集積した前記可動棒を連結する連結体と、前記連結体にかみ合った第２の稼動棒とを有することで、前記可動棒を同時に可動可能とすることを特徴とする請求項２、請求項４記載の真空吸着による親綱及び安全帯固定具。
【請求項８】
前記吸着面は空気漏れ防止部を有し、前記空気漏れ防止部は、塑性又は粘性媒体又は／及び微小の空孔を有する吸着体又は／及び摩擦体で形成されていることを特徴とする請求項１から請求項７のいずれか１つに記載の真空吸着による親綱及び安全帯固定具。
【請求項９】
前記空気抜き穴に差し込んでポンプ先端部と空気を抜くための弾性体でできた袋部と空気の出入りを開閉する弁を有することを特徴とする請求項５又は請求項６記載の真空吸着による親綱及び安全帯固定具に使用する手動ポンプ。
【請求項１０】
磁石部と吸引固定具筺体と前吸引固定具筺体に結合した親綱又は安全帯を結びつけるための係止具と可動棒を有し、前記可動棒は、前記磁石部にあいた穴部に嵌めあって前記磁石部を被吸着体面に接触又は離脱させ、及び、前記吸引固定具筺体の穴に嵌めあってオスメスのネジ結合をしたことを特徴とする磁気吸着による親綱及び安全帯固定具。
【請求項１１】
磁石部と前記磁石部を保持する磁石保持部と吸引固定具筺体と前記吸引固定具筺体に結合した親綱又は安全帯を結びつけるための係止具とを有し、前記磁石部は前記磁石保持部の第１面側に付設され、前記磁石保持部の前記第１面と反対側の第２面側と前記吸引固定具筺体は、球形の凸面を有する突起部と球形の凹面を有する凹部を有し、前記球形の凹面は前記球形の凸面を回転自在に内包して回転自在の結合をしていることを特徴とする磁気吸着による親綱及び安全帯固定具。
【請求項１２】
磁石部と吸引固定具筺体と可動棒を持つ複数の組と、前吸引固定具筺体の一個に結合した親綱又は安全帯を結びつけるための係止具とを有し、前記可動棒は、前記磁石部にあいた穴部に嵌めあって前記磁石部を被吸着体面に接触又は離脱させ、及び、前記吸引固定具筺体の穴に嵌めあってオスメスのネジ結合をし、複数の前記吸引固定具筺体は、隣り合う同士を回転自在に連結したことを特徴とする磁気吸着による親綱及び安全帯固定具。
【請求項１３】
磁石部と前記磁石部を保持する磁石保持部を有する複数の組と、吸引固定具筺体と、前記吸引固定具筺体に結合した親綱又は安全帯を結びつけるための係止具とを有し、前記磁石部は前記磁石保持部の第１面側に付設され、前記磁石保持部の前記第１面と反対側の第２面側と前記吸引固定具筺体は、球形の凸面を有する突起部と球形の凹面を有する凹部を有し、前記球形の凹面は前記球形の凸面を回転自在に内包して回転自在の結合をしていることを特徴とする磁気吸着による親綱及び安全帯固定具。
【請求項１４】
前記磁石部に前記磁石部の吸着力とは直角方向のすべりを防止する摩擦体を付設したことを特徴とする請求項１０から請求項１３のいずれか１つに記載の磁気吸着による親綱及び安全帯固定具。
【請求項１５】
真空吸着部と磁気吸着部と親綱又は安全帯を結びつけるための係止具とを一体に有することを特徴とする親綱及び安全帯固定具。
【請求項１６】
磁気により吸着される素材による被磁気吸着体又は／及びすべり防止用の摩擦体又は／及び真空吸着を補助するための平滑面を有する吸着面と前記吸着面に直角に付設した係止板を有することを特徴とする吸着支援板。
【請求項１７】
前記係止板は、すべり防止用の摩擦体または／及び前記係止板の先端側に係止板とは直角に曲がったアームを有することを特徴とする請求項１６記載の吸着支援板。
【請求項１８】
親綱又は安全帯を結接する結接具を有する請求項１６又は請求項１７記載の吸着支援板。
【請求項１９】
長さが調整できる横棒部と、前記横棒部の両端につながり棒の長手方向に可動でき前記横棒部を固定するための棒係止部と、前記横棒部の途中から分岐した壁面を押さえる壁押さえ部を有することを特徴とする親綱又は安全帯結接用の棒状締め付け具。
【発明の詳細な説明】
【技術分野】
【０００１】
本発明は、建設用、特に数ｍの高さの壁を対象にした作業での作業安全を簡便に確保するための親綱及び安全帯を固定する固定具とその効果を助ける支援具に関するものである。  
【背景技術】
【０００２】
親綱を張る部品レベルの補助具は、数多く提案されているが、親綱及び安全帯を壁面に付設する固定具の提案はあまり見かけない。壁面には固定する柱もないので、壁の平面に親綱及び安全帯を固定する簡易で確実な固定具があると便利である。
【０００３】
特許文献に先行例を見ると、図７は、特許文献１にみる高所作業用墜落防止装置と吸着装置の例を示している。この例では、吸着盤２０があり、吸着を確実にするために、ポンプ等の吸引装置１０があって、吸引装置１０を動かす電源も内蔵し、真空状態をモニタするメータ１５が付属し、電源スイッチ１３とパイロットランプ１４も付いている。これを貼りつけて、吸引装置１０を作動して吸引し使用する。吸引状態が悪い場合には、警報も出るようになっている。フック６１には、親綱や安全帯を結びつけるようになっている。これは、便利であるが、装置が高価になり、電源の確認や保存に気を使う不便さがある。この文献には、ポンプのような吸引装置を持たない簡便な手段の具体例は示されていない。もっと低価格で、かつ、簡便に使用できるものを実現するには、吸引を効果的にした具体的手段が必要となっていた。
【特許文献１】特開２００４−３１６２７１
【発明の開示】
【発明が解決しようとする課題】
【０００４】
上記のような事情から、解決しようとする課題は、電源で動作する吸引装置を持たない簡便な吸引固定具の具体的構成を提案し、壁面に親綱及び安全帯を固定する固定具とその支援具を安価に製作できる提案を供することである。
【課題を解決するための手段】
【０００５】
上記の課題を解決するための手段として、本発明による真空吸着によるものでは、真空を引き起こす可動板またはダイアフラムを用い、磁気吸着によるものでは、磁石部を把持する磁石把持部の構造を工夫して、磁石部を可動又は、回転するようにし、又、複数個の一体集合、吸着を効果的にする吸着面の工夫、吸着を補助する吸着支援板の提案で構成している。以下、請求項に沿って説明する。
【０００６】
請求項１記載の発明は、真空吸着による親綱及び安全帯固定具であって、可動棒の先端に接続した可動板と、前記可動板を気密性を持ってスライド可能に接する内側面と空気抜き穴と吸着時に被吸着物面に向き合って接触する吸着面とを有する吸引固定具筺体と、親綱又は安全帯を結びつけるための係止具とを有し、前記可動棒は、前記吸引固定具筺体の穴にはめ込まれた構成を有することを特徴とする。これにより、滑らかな壁面に真空吸着し、親綱及び安全帯を固定できる。
【０００７】
請求項２記載の発明は、請求項１記載の真空吸着による親綱及び安全帯固定具において、前記可動棒と前記可動板と前記吸引固定具筺体を複数組集積したことを特徴とする。これにより吸着を有効に出来る。
【０００８】
請求項３記載の発明は、真空吸着による親綱及び安全帯固定具であって、可動棒の先端に接続した弾性体のダイアフラムと、前記ダイアフラムの周辺部を保持し、空気抜き穴と吸着時に被吸着物面に向き合って接触する吸着面とを有する吸引固定具筺体と、親綱又は安全帯を結びつけるための係止具とを有し、前記可動棒は、前記吸引固定具筺体の穴にはめ込まれた構成を有することを特徴とする。これにより、滑らかな壁面に真空吸着し、親綱及び安全帯を固定できる。
【０００９】
請求項４記載の発明は、請求項３記載の真空吸着による親綱及び安全帯固定具において、前記可動棒と前記ダイアフラムと前記吸引固定具筺体を複数組集積したことを特徴とする。これにより吸着を有効に出来る。
【００１０】
請求項５記載の発明は、真空吸着による親綱及び安全帯固定具であって、吸着時に被吸着物面に向き合って接触する吸着面と前記吸着面の内側にある凹部と前記凹部から外部に繋がる空気抜き穴と前記空気抜き穴を開閉状態にする栓を有する弾性体の吸引固定具と、親綱又は安全帯を結びつけるための係止具とを有することを特徴とする。これにより、滑らかな壁面に真空吸着し、親綱及び安全帯を固定できる。
【００１１】
請求項６記載の発明は、請求項５記載の真空吸着による親綱及び安全帯固定具において、前記吸引固定具を複数個集積したことを特徴とする。これにより吸着を有効に出来る。
【００１２】
請求項７記載の発明は、請求項２、請求項４記載の真空吸着による親綱及び安全帯固定具において、複数組集積した前記可動棒を連結する連結体と、前記連結体にかみ合った第２の稼動棒とを有することで、前記可動棒を同時に可動可能とすることを特徴とする。これにより可動が簡潔に出来る。
【００１３】
請求項８記載の発明は、請求項１から請求項７のいずれか１つに記載の真空吸着による親綱及び安全帯固定具において、前記吸着面は空気漏れ防止部を有し、前記空気漏れ防止部は、塑性又は粘性媒体又は／及び微小の空孔を有する吸着体又は／及び摩擦体で形成されていることを特徴とする。これにより空気漏れを防止し、吸着を確実に出来る。
【００１４】
請求項９記載の発明は、請求項５又は請求項６記載の真空吸着による親綱及び安全帯固定具に使用する手動ポンプにおいて、前記空気抜き穴に差し込んで空気を抜くための弾性体でできた袋部と空気の出入りを開閉する弁を有することを特徴とする。空気抜きが簡単になる。
【００１５】
請求項１０記載の発明は、磁気吸着による親綱及び安全帯固定具であって、磁石部と吸引固定具筺体と前吸引固定具筺体に結合した親綱又は安全帯を結びつけるための係止具と可動棒を有し、前記可動棒は、前記磁石部にあいた穴部に嵌めあって前記磁石部を被吸着体面に接触又は離脱させ、及び、前記吸引固定具筺体の穴に嵌めあってオスメスのネジ結合をしたことを特徴とする。これにより、鉄材の面に磁気吸着し、親綱及び安全帯を固定できる。
【００１６】
請求項１１記載の発明は、磁気吸着による親綱及び安全帯固定具であって、磁石部と前記磁石部を保持する磁石保持部と吸引固定具筺体と前記吸引固定具筺体に結合した親綱又は安全帯を結びつけるための係止具とを有し、前記磁石部は前記磁石保持部の第１面側に付設され、前記磁石保持部の前記第１面と反対側の第２面側と前記吸引固定具筺体は、球形の凸面を有する突起部と球形の凹面を有する凹部を有し、前記球形の凹面は前記球形の凸面を回転自在に内包して回転自在の結合をしていることを特徴とする。これにより、鉄材の面に磁気吸着し、親綱及び安全帯を固定できる。
【００１７】
請求項１２記載の発明は、磁気吸着による親綱及び安全帯固定具であって、磁石部と吸引固定具筺体と可動棒を持つ複数の組と、前吸引固定具筺体の一個に結合した親綱又は安全帯を結びつけるための係止具とを有し、前記可動棒は、前記磁石部にあいた穴部に嵌めあって前記磁石部を被吸着体面に接触又は離脱させ、及び、前記吸引固定具筺体の穴に嵌めあってオスメスのネジ結合をし、複数の前記吸引固定具筺体は、隣り合う同士を回転自在に連結したことを特徴とするこれにより曲面に吸着ができる。
【００１８】
請求項１３記載の発明は、磁気吸着による親綱及び安全帯固定具であって、磁石部と前記磁石部を保持する磁石保持部を有する複数の組と、吸引固定具筺体と、前記吸引固定具筺体に結合した親綱又は安全帯を結びつけるための係止具とを有し、前記磁石部は前記磁石保持部の第１面側に付設され、前記磁石保持部の前記第１面と反対側の第２面側と前記吸引固定具筺体は、球形の凸面を有する突起部と球形の凹面を有する凹部を有し、前記球形の凹面は前記球形の凸面を回転自在に内包して回転自在の結合をしていることを特徴とする。これにより曲面に吸着ができる。
【００１９】
請求項１４記載の発明は、請求項１０から請求項１３のいずれか１つに記載の磁気吸着による親綱及び安全帯固定具において、前記磁石部に前記磁石部の吸着力とは直角方向のすべりを防止する摩擦体を付設したことを特徴とする。これにより横滑りが防止できる。
【００２０】
請求項１５記載の発明は、親綱及び安全帯固定具であって、真空吸着部と磁気吸着部と親綱又は安全帯を結びつけるための係止具とを一体に有することを特徴とする。これにより、真空と磁気の両者で吸引が可能である。
【００２１】
請求項１６記載の発明は、吸着支援板であって、磁気により吸着される素材による被磁気吸着体又は／及びすべり防止用の摩擦体又は／及び真空吸着を補助するための平滑面を有する吸着面と前記吸着面に直角に付設した係止板を有することを特徴とする。これにより壁面の性質を気にせず吸着を有効に出来る。
【００２２】
請求項１７記載の発明は、請求項１６記載の吸着支援板において、前記係止板は、すべり防止用の摩擦体または／及び前記係止板の先端側に係止板に直角に曲がったアームを有することを特徴とする。これにより係止が強化される。
【００２３】
請求項１８記載の発明は、請求項１６又は請求項１７記載の吸着支援板において、親綱又は安全帯を結接する結接具を有することを特徴とする。結接の自由度が増し好都合である。
【００２４】
請求項１９記載の発明は、親綱又は安全帯結接用の棒状締め付け具であって、長さが調整できる横棒部と、前記横棒部の両端につながり棒の長手方向に可動でき前記横棒部を固定するための棒係止部と、前記横棒部の途中から分岐した壁面を押さえる壁押さえ部を有することを特徴とする。これにより親綱又は安全帯の結接を有効に出来る。
【発明の効果】
【００２５】
以上のように構成されているので、本発明による真空吸着による親綱及び安全帯固定具、真空吸着による親綱及び安全帯固定具に使用する手動ポンプ、磁気吸着による親綱及び安全帯固定具、親綱及び安全帯固定具、吸着支援板、及び親綱又は安全帯結接用の棒状締め付け具を用いると通常親綱や安全帯をつける鉄骨や柱がなく壁がある場所において、簡易に親綱や安全帯を付設して作業を行うことができ、安全を確保できる。
【発明を実施するための最良の形態】
【００２６】
本発明による真空吸着による親綱及び安全帯固定具、真空吸着による親綱及び安全帯固定具に使用する手動ポンプ、磁気吸着による親綱及び安全帯固定具、親綱及び安全帯固定具、吸着支援板、及び親綱又は安全帯結接用の棒状締め付け具は、真空吸着によるものでは、真空を引き起こす可動板またはダイアフラムを用い、磁気吸着によるものでは、磁石部を把持する磁石把持部の構造を工夫して、磁石部を可動又は、回転するようにし、又、複数個の一体集合、吸着を効果的にする吸着面、吸着を補助する吸着支援板を用いたものとなっている。以下、実施例を用い説明する。
【００２７】
図１は、本発明による親綱及び安全帯固定具の一実施態様を示す図である。特に真空吸引による吸引固定具の例である。１−Ａには、１個の真空吸引部を持つ吸引固定具の斜視図で、１−Ｂはその断面図になっている。吸引固定具筺体１０１の内側には可動板１０２があり、可動板端１０３は、吸引固定具筺体１０１の内側面１０４にスライドできるように接している。なおかつ、空気が漏れないようにグリスやシリコンなどの真空保持剤が付設されている。可動板１０２には可動を助ける可動棒１０５があって、吸引固定具筺体１０１の筺体穴１０６に嵌めこまれている。可動棒１０５を動かすことで、可動板１０２が上下する。吸着したい面に、吸引固定具筺体１０１の吸着面１０７側を当て、可動棒１０５を引き上げると、可動板１０２の下側の空間１０８が真空になって、大気圧により周りから押し付けられる。可動棒１０５と吸引固定具筺体１０１の筺体穴１０６は、オスメスのねじ関係で接しているか、可動板端１０３が吸引固定具筺体１０１の内側面１０４にオスメスのねじ関係で接していれば、可動板１０２に及ぼす吸引力は、吸引固定具筺体１０１に伝わり、吸引固定具筺体１０１の吸着面１０７は、吸着したい面に押し付けられることになる。逆に、可動板１０２を下側に動かすと吸着状態から脱することになる。可動板１０２の可動を容易にするために、可動棒１０５には、回転ノブ１０９が付いていると便利である。又、吸引固定具筺体１０１の吸着面１０７には、空気の漏れを防ぎ、吸着を効果的にするために、空気漏れ防止部を設けると効果的である。これは、ゲル、ゴム、シリコンなどの塑性又は粘性媒体部を有するか、微小の空孔を持った吸着部を有することが望ましい。
【００２８】
親綱又は安全帯を結び付け固定を行う係止具１１０が吸引固定具筺体１０１についている。１−Ａでは、１個の真空吸引部を持つ吸引固定具であったが、１−Ｃでは、複数、ここの図の例では、３個の真空吸引部を持つ吸引固定具を１−Ｂと同様に断面図で示している。吸引固定具筺体１０１Ａ、１０１Ｂ、１０１Ｃと可動板１０２Ａ、１０２Ｂ、１０２Ｃと可動棒１０５Ａ、１０５Ｂ、１０５Ｃがあり、これらの間の関係は、１−Ｂの説明と同様である。更に、可動棒１０５Ａ、１０５Ｂ、１０５Ｃに接続した可動部接続体１１１があり、これに回転自在で接続した第２の可動棒１１２がある。第２の可動棒１１２は、吸引固定具筺体１０１Ａ、１０１Ｂ、１０１Ｃに繋がった第２の筺体１１３の第２の筺体穴１１４にオスメスのネジの関係で嵌めこまれている。第２の可動棒１１２を回転すると、第２の可動棒１１２は上下動する。上下に移動すれば、可動部接続体１１１を引き上げ又は押し下げ、これに連接した可動棒１０５Ａ、１０５Ｂ、１０５Ｃ、従って、可動板１０２Ａ、１０２Ｂ、１０２Ｃが上下動して、吸着面での吸着又は離脱を行う。ここでは、３個の場合の真空吸引部を示したが、真空吸引部の数を複数に多くするのは、１個では、空気漏れがあると離脱するが、複数個では、１個が空気漏れしても離脱を間逃れることが出来るからである。又、周り真空吸引部により内部の真空吸引部の空気漏れが防止される効果が期待できる。
【００２９】
１−Ｄは、可動板がスライドするのではなく、ゴムのような弾性体で出来ているダイアフラム１１５の形状をしている。可動棒１１６とダイアフラム１１５は接続している。図に示すように、ダイアフラム１１５の周辺部は、被吸着面に向き合うところの真空固定具筺体の吸着面に保持されている。可動棒１１６を上下動して、ダイアフラム１１５を引き或いは戻し、吸引又は離脱を行うことが出来る。１−Ｄは真空吸引部が１個の場合であるが、１−Ｅでは、３個の真空吸引部を有した場合である。１−Ｃとの違いは、可動板とダイアフラムの違いである。
【００３０】
１−Ｆは、小型の吸引固定具でよくみる弾性体による吸引固定具１１７であり、吸引固定具１１７を手で押して、又はポンプ吸引して空気を抜き吸着力を得るものである。構成は簡単であるが、大きな吸引力を得るには、手で押すのは厄介であり、操作性は劣る。その他の例と同様に吸着面１１８には、空気漏れ防止部を設けると効果的である。これは、ゲル、ゴム、シリコンなどの塑性又は粘性媒体部を有するか、微小の空孔を有する吸着部を有することが望ましい。特に、内側に微小の空孔を有する吸着部、外側に塑性又は粘性媒体部を有することが全ての例で望ましい。
【００３１】
１−Ｇは、吸引を行う部分が３個付いた例である。１−Ｈでは、吸引を容易にするために空気抜き穴１１９を設け、これを共通の穴１２０でつないで、その先端の吸引穴１２１に栓１２２を付けたものである。尚、吸着面１０７には、空気漏れ防止部と同様に吸着を効果的にするものとして、横滑りを防止するゴムのような媒体による摩擦体を設けることが望ましい。尚、１−Ａ、１−Ｂ、１−Ｃ、１−Ｄ、１−Ｅのものでは、真空吸引する場合に、可動板またはダイアフラムの裏側の空間の空気は自由に出入りすることが必要なので、常に開状態の空気抜き穴１００の設置が必要である。１−Ｆ、１−Ｇ、１−Ｈのものについては、小さな力で押しつけることが出来るように、空気を抜く穴とその後、閉じるための栓が必要である。このため空気抜き穴１１９と栓１２２が設置されている。
【００３２】
尚、真空吸引による吸着では、親綱や安全帯をつけて作業者が利用する場合、１気圧の大気中での使用を考えると、平方ｃｍ当たり１ｋｇの吸着力が働く。２００ｋｇに耐えることを想定すると、安全率として５〜１０倍を考えると、１０００〜２０００ｋｇに耐える吸着面積は、１０００〜２０００平方ｃｍとなり、約３２ｃｍ角〜４５ｃｍ角となる。４個に分割して構成する場合には、１６ｃｍ角〜２２ｃｍ角となる。
【００３３】
図２は、本発明による親綱及び安全帯固定具、特に１−Ｆ、１−Ｇ、１−Ｈの例に見る真空吸引による吸引固定具の吸引を助ける手動ポンプの一実施態様を示す図である。２−Ａは斜視図であり、２−Ｂは断面図である。ゴムなどの弾性体でできた袋部２０１を押すと、第１の弁２０２は塞がり、第２の弁２０３は開いて、袋部２０１内の空気が外に出る。袋部２０１が弾性力で復元すると、第１の弁２０２は開いて、第２の弁２０３は閉じて、ポンプ先端２０４の吸引穴２０５から空気を吸い込む。ポンプ先端２０４を１−Ｆ、１−Ｇ、１−Ｈの吸引穴１２１に差し込めば、空気を吸引して排出し、栓１２２を締めれば、吸着を行わせることが出来る。
【００３４】
図３は、本発明による親綱及び安全帯固定具の一実施態様を断面図で示したものである。特に磁気吸引による吸引固定具の例である。３−Ａでは、磁石部３０１を吸引固定具筺体３０２側に引きつけ固定する可動棒３０３があって、吸引固定具筺体３０２と可動棒３０３は、オスメスのネジ関係で嵌めあっている。可動棒３０３の先端は、磁石部３０１の磁石部穴３０４を通ったあと、広がり部３０５を持っていて、磁石部３０１を引っ掛ける形状になっている。可動棒３０３を回転し、上方に引き上げて磁石部３０１を吸引固定具筺体３０２に固定した状態で、磁石部３０１側を吸着したい壁面の鉄部に当てれば、この固定具は磁気により鉄部に固定される。可動棒３０３を逆に回転すれば、広がり部３０５が壁面の鉄部を押して、磁石部３０１従って、吸引固定具筺体３０２も壁面から離脱する。吸引固定具筺体３０２には、親綱又は安全帯固定を行う係止具３０６が付いている。広がり部３０５には、相手の鉄部への傷を防止するために、ゴム等の緩衝材で覆うことが望ましい。
【００３５】
３−Ｂでは、平面以外の曲面にも吸着可能な磁気吸引による吸引固定具の例である。３−Ａの磁石部３０１と吸引固定具筺体３０２と可動棒３０３と磁石部穴３０４と広がり部３０５を一組として、吸引固定具筺体３０２が他の隣組の吸引固定具筺体３０２と回転自在に蝶番部３０７で接続され、複数の組の吸引固定具で構成されている。親綱又は安全帯固定を行う係止具３０６は、全体に少なくとも１個付いている。このようにすると、貼り付ける壁の曲面に対応して蝶番部３０７が磁石部３０１の向きを調整してくれる。
【００３６】
３−Ｃは、磁石部と吸引固定具筺体が回転自在な係合をしている場合である。磁石部３０８は、磁石保持部３０９に収納されている。磁石保持部３０９の磁石部３０８のある側と反対側には、球形の穴３１０がある。吸引固定具筺体３１１には、先端が球形の突起３１２があって、この球形の突起３１２が磁石保持部３０９の球形の穴３１０に嵌めあって抜けないで回転自在な結合をしている。従って、壁の曲面の傾きに応じて、自在に磁石保持部３０９が回転し対処できる。尚、球形の突起と球形の穴は、磁石部筺体と吸引固定具筺体とで反対についていてもよい。
【００３７】
３−Ｄでは、吸引固定具筺体３１１には、複数この図では３個の球形の突起３１２があり、３個の磁石保持部３０９と磁石部３０８がある。各部の磁石保持部３０９が当たっている面の角度に対応して自由な向きで吸着できる。親綱又は安全帯固定を行う係止具３１３が吸引固定具筺体３１１についている。吸引固定具筺体３１１には、吸着を解除するための吸着解除棒３１４が付いている。吸着解除棒３１４で吸着面を押すことで解除できる。尚、磁石は、吸着面と直角な方向の吸着力は大きいが、平行な方向すなわちすべり方向の力は弱いので、すべりに強くするためにゴム等の摩擦体３１５で磁石部３０８面を覆うか、又は、磁石部３０８の表面の部分に摩擦体を配置するか、又は磁石部３０８に摩擦体を混入させ、磁石部３０８自体の表面に摩擦性を持たせるようにすると効果的である。
【００３８】
尚、磁石による吸着では、指はさみが起こる危険があるので、「指はさみ注意」の表示をしてあるとよい。尚、２００ｋｇの吸引に対応するには、２０００Ｎの吸着力が必要で、これに安全率を見て、磁石の強さを決めることになる。
【００３９】
図４は、本発明による親綱及び安全帯固定具の一実施態様を断面図で示したものである。特に真空吸引と磁気吸引を両方用いた吸引固定具の例である。真ん中には真空吸引による吸引固定部４０１、これを中心に４方に伸びるのは、３−Ｂで示された磁気吸引による吸引固定部４０２である。勿論、真空吸引と磁気吸引による吸引固定部の数、配置は任意に構成出来る。親綱又は安全帯固定を行う係止具４０３が備えられている。
【００４０】
図５は、本発明による親綱及び安全帯固定具を用いる場合に補助となる支援具の例である。
５−Ａは、建物の壁５００に建物の上面を利用して立てかける吸着面を有する吸着支援板５０１である。吸着支援板５０１の上側にはほぼ直角に曲がった係止板５０２があり、この面には、すべり防止用にゴムなどの摩擦体５０３を有している。吸着支援板５０１の表面は、磁気吸着を有効にするため鉄などの磁性体で出来ている。尚、真空吸着を補助するための摩擦面や滑らかな面を有している。更に、他のものを結接するための結接具５０４が付いているとより好都合となる。尚、係止板５０２の先端に直角に曲がったアーム５０９を有すると係止を強化できる。
【００４１】
５−Ｂでは、吸着支援板５０１に加えて、支援具の例として棒状の締め付け具５０５を示している。横棒部５０６は長さが調整でき、その両端には、棒の長手方向に自由に動き、建物の両横壁を挟み込むように押して固定できるための棒係止部５０７が付いている。棒係止部５０７は回転により、固定／取り外しが出来ることが使用上好都合である。横棒部５０６には、更に壁面を押さえる壁押さえ部５０８があると安定な横棒部５０６の設置が可能となる。このような支援具があると、吸引固定具の吸着を補助し、親綱及び安全帯固定具を取り付ける自由度が増し、それだけ安全の確保に好都合となる。
【００４２】
図６は、本発明による親綱及び安全帯固定具を使用している状態の例を示す図である。
建物の壁面６００には、本発明による親綱及び安全帯固定具６０１、特に、この図では、図１の１−Ａの真空吸引による吸引固定具が設置してある。二つの親綱及び安全帯固定具６０１には、親綱６０２が張られている。２人の作業者は足場の上で作業しているが、安全帯６０３を親綱及び安全帯固定具６０１又は、親綱６０２に結び付けている。
【産業上の利用可能性】
【００４３】
以上の様に、本発明による真空吸着による親綱及び安全帯固定具、真空吸着による親綱及び安全帯固定具に使用する手動ポンプ、磁気吸着による親綱及び安全帯固定具、親綱及び安全帯固定具、吸着支援板、及び親綱又は安全帯結接用の棒状締め付け具では、簡便な吸引固定具の具体的構成を提示し、壁面に簡単確実に設置できる親綱及び安全帯を固定する固定具とその支援具を安価に製作でき提供できるので、産業上大きな利用性を有している。
【図面の簡単な説明】
【００４４】
【図１】本発明による親綱及び安全帯固定具の一実施態様、特に真空吸引による吸引固定具の例を示す図である。
【図２】本発明による親綱及び安全帯固定具、特に１−Ｆ、１−Ｇ、１−Ｈの例に見る真空吸引による吸引固定具の吸引を助ける手動ポンプの一実施態様を示す図である。
【図３】本発明による親綱及び安全帯固定具の一実施態様、特に磁気吸引による吸引固定具の例を断面図で示したものである。
【図４】本発明による親綱及び安全帯固定具の一実施態様、特に真空吸引と磁気吸引を両方用いた吸引固定具の例を断面図で示したものである。
【図５】本発明による親綱及び安全帯固定具を用いる場合に補助となる支援具の例である。
【図６】本発明による親綱及び安全帯固定具を使用している状態の例を示す図である。
【図７】従来の親綱及び安全帯固定具としての高所作業用墜落防止装置と吸着装置の例を示す図である。
【符号の説明】
【００４５】
１０  吸引装置
１３  電源スイッチ
１４  パイロットランプ
１５  メータ
２０  吸着盤
６１  フック
１０１、１０１Ａ、１０１Ｂ、１０１Ｃ、３０２、３１１  吸引固定具筺体    
１０２、１０２Ａ、１０２Ｂ、１０２Ｃ  可動板
１０３  可動板端
１０４  内側面
１０５、１０５Ａ、１０５Ｂ、１０５Ｃ、１１６、３０３  可動棒
１０６  筺体穴
１０７  吸着面
１０８  下側の空間
１０９  回転ノブ
１１０、３０６、３１３、４０３  係止具
１１１  可動部接続体
１１２  第２の可動棒
１１３  第２の筺体
１１４  第２の筺体穴
１１５  ダイアフラム
１１７  吸引固定具
１１８  吸着面
１１９  空気抜き穴
１２０  共通の穴
１２１  吸引穴
１２２  栓
２０１  袋部
２０２  第１の弁
２０３  第２の弁
２０４  ポンプ先端
２０５  吸引穴
３０１、３０８  磁石部
３０４  磁石部穴
３０５  広がり部
３０７  蝶番部  
３０９  磁石保持部  
３１０  球形の穴
３１２  球形の突起
４０１  真空吸引による吸引固定部
４０２  磁気吸引による吸引固定部
５００  建物の壁
５０１  吸着支援板
５０２  係止板
５０３  摩擦体
５０４  結接具
５０５  棒状の締め付け具
５０６  横棒部
５０７  棒係止部
５０８  壁押さえ部
５０９  アーム
６００  建物の壁面  
６０１  親綱及び安全帯固定具
６０２  親綱
６０３  安全帯
【図１】
2008278909.tif 000003
【図２】
2008278909.tif 000004
【図３】
2008278909.tif 000005
【図４】
2008278909.tif 000006
【図５】
2008278909.tif 000007
【図６】
2008278909.tif 000008
【図７】
2008278909.tif 000009